(57)【要約】【課題】表示品位の劣化を抑制する液晶表示装置およびその駆動方法を提供することを目的とする。【解決手段】互いに走査ライン数の異なる第１表示部および第２表示部と、前記第１表示部および第２表示部に駆動信号を供給する駆動部と、を有する液晶表示装置の駆動方法であって、第１表示部と第２表示部とのうちの走査ライン数の少ない表示部を駆動する際に、前記駆動部は、１フレーム期間を複数のフィールド期間に分割し、前記複数のフィールド期間ごとに、対向電圧の極性を反転させ、それぞれのフィールド期間において、走査線を駆動した後にブランク期間を設ける液晶表示装置の駆動方法。【選択図】      図２
2009139649.tif 000002
【特許請求の範囲】
【請求項１】
走査線及び信号線にスイッチ素子を介して接続される画素電極と、対向電極との間に液晶層が保持された複数の表示画素からなる表示画素ラインを複数本備えた表示パネルと、
前記走査線、信号線、及び対向電極を駆動する駆動部と、を有する液晶表示装置の駆動方法であって、
１フレーム期間を少なくとも３フィールド期間に区分すると共に、各フィールド期間が等しくなるようにブランキング期間をそれぞれ設定し、
第１フィールド期間に、前記対向電極に第１電圧を印加すると共に、第１グループの前記表示画素ラインの前記画素電極に順次映像信号を印加し、
第２フィールド期間に、前記対向電極に第２電圧を印加すると共に、第２グループの前記表示画素ラインの前記画素電極に順次映像信号を印加し、
第３フィールド期間に、前記対向電極に第１電圧を印加すると共に、第３グループの前記表示画素ラインの前記画素電極に順次映像信号を印加する、液晶表示装置。
【請求項２】
互いに走査ライン数の異なる第１表示部および第２表示部と、前記第１表示部および第２表示部に駆動信号を供給する駆動部と、を有する液晶表示装置の駆動方法であって、
第１表示部と第２表示部とのうちの走査ライン数の少ない表示部を駆動する際に、前記駆動部は、１フレーム期間を複数のフィールド期間に分割し、
前記複数のフィールド期間ごとに、対向電圧の極性を反転させ、
それぞれのフィールド期間において、互いに異なる走査線を駆動した後にブランク期間を設け、これにより各フィールド期間を等しくする液晶表示装置の駆動方法。
【請求項３】
前記駆動部は、前記複数のフィールド期間のそれぞれにおいて、１本以上の走査ラインを間引いて順次駆動する液晶表示装置の駆動方法。
【請求項４】
前記第１表示部と前記第２表示部との表示を切り替える切り替え手段をさらに有する液晶表示装置の駆動方法であって、
前記駆動部は、前記切り替え手段を制御する液晶表示装置の駆動方法。
【発明の詳細な説明】
【技術分野】
【０００１】
本発明は、液晶表示装置および液晶表示装置の駆動方法に関し、特にアクティブマトリクス型の液晶表示装置およびその駆動方法に関する。
【背景技術】
【０００２】
液晶表示装置は、薄型、軽量、低消費電力等の特徴を有しており、ＯＡ機器情報端末、時計、及びテレビ等の様々な用途に応用されている。特に、薄膜トランジスタ(以下、ＴＦＴという)を有する液晶表示装置は、その高い応答性から、携帯テレビやコンピュータなどのように多量の情報を表示するモニタとして用いられている。
【０００３】
液晶表示装置は、一般に、互いに対向して配置された一対の基板と、一対の基板間に挟持された液晶層と、マトリクス状に配置された複数の表示画素からなる表示部と、を有している。
【０００４】
表示部には、複数の表示画素が配列する行に沿って配置された走査線と、複数の表示画素が配列する列に沿って配置された信号線と、が配置されている。走査線と信号線とが交差する位置の近傍には画素スイッチが配置されている。
【０００５】
一方の基板には、それぞれの表示画素に対応して画素電極が配置されている。他方の基板には複数の画素電極に対向する対向電極が配置されている。画素電極と対向電極とに電圧が印加されることにより、これらの電極間に挟持された液晶に液晶電圧が印加される。
【０００６】
近年、複数の表示部を有する機器が提案されている（特許文献１参照）。例えば、表示容量の大きいメイン画面と表示容量の小さいサブ画面とを有する機器では、これらの画面の一方が映像表示状態であるときには他方の画面が非表示状態となるように駆動される場合がある。
【０００７】
一方、１本以上の走査線を間引いて駆動するインタレース駆動する方法が提案されている。
【特許文献１】特開２０００−２５００６４号公報
【発明の開示】
【発明が解決しようとする課題】
【０００８】
入力信号の状態によって、上記のように複数の表示部、例えば、メイン画面とサブ画面とを有する液晶表示装置にインタレース駆動を適応することがある。この場合、メイン画面が非表示状態であって、サブ画面が表示状態であるときには、サブ表示部はメイン表示部に比べて表示ライン数が少ないため、１フレーム期間内で最後のフィールド期間が他のフィールド期間と比べて長くなる。
【０００９】
この場合、最後のフィールド期間における対向電位が印加される期間が長くなり、他のフィールド期間で信号書き込みが行われたラインと、最後のフィールド期間で信号書き込みが行われたラインとで輝度差が生じるために、表示画面に横スジが生じて表示品位が劣化する場合があった。
【００１０】
本発明は上記の問題点に鑑みて成されたものであって、表示品位の劣化を抑制する液晶表示装置およびその駆動方法を提供することを目的とする。
【課題を解決するための手段】
【００１１】
本発明の第１態様による液晶表示装置は、走査線及び信号線にスイッチ素子を介して接続される画素電極と、対向電極との間に液晶層が保持された複数の表示画素からなる表示画素ラインを複数本備えた表示パネルと、前記走査線、信号線、及び対向電極を駆動する駆動部と、を有する液晶表示装置の駆動方法であって、１フレーム期間を少なくとも３フィールド期間に区分すると共に、各フィールド期間が等しくなるようにブランキング期間をそれぞれ設定し、第１フィールド期間に、前記対向電極に第１電圧を印加すると共に、第１グループの前記表示画素ラインの前記画素電極に順次映像信号を印加し、第２フィールド期間に、前記対向電極に第２電圧を印加すると共に、第２グループの前記表示画素ラインの前記画素電極に順次映像信号を印加し、第３フィールド期間に、前記対向電極に第１電圧を印加すると共に、第３グループの前記表示画素ラインの前記画素電極に順次映像信号を印加する。
【００１２】
本発明の第２態様による液晶表示装置の駆動方法は、互いに走査ライン数の異なる第１表示部および第２表示部と、前記第１表示部および第２表示部に駆動信号を供給する駆動部と、を有する液晶表示装置の駆動方法であって、第１表示部と第２表示部とのうちの走査ライン数の少ない表示部を駆動する際に、前記駆動部は、１フレーム期間を複数のフィールド期間に分割し、前記複数のフィールド期間ごとに、対向電圧の極性を反転させ、それぞれのフィールド期間において、互いに異なる走査線を駆動した後にブランク期間を設け、これにより各フィールド期間を等しくする。
【発明の効果】
【００１３】
この発明によれば、表示品位の劣化を抑制する液晶表示装置およびその駆動方法を提供することができる。
【発明を実施するための最良の形態】
【００１４】
以下に、本発明の第１実施形態に係る液晶表示装置について図面を参照して説明する。本実施形態に係る液晶表示装置は、図１に示すように第１液晶表示パネルＰＮＬ１と第２液晶表示パネルＰＮＬ２とを有している。第１液晶表示パネルＰＮＬ１と第２液晶表示パネルＰＮＬ２とは、フレキシブル基板３０５によって電気的に接続されている。
【００１５】
第１液晶表示パネルＰＮＬ１および第２液晶表示パネルＰＮＬ２のそれぞれは、マトリクス状に配置された複数の表示画素（図示せず）からなる第１表示部ＤＹＰ１、および第２表示部ＤＹＰ２を有している。
【００１６】
第１表示部ＤＹＰ１には、表示画素が配列する行に沿って延びる走査線２０１と、表示画素が配列する列に沿って延びる信号線３０４と、が配置されている。走査線２０１と信号線３０４とが交差する位置の近傍には画素スイッチ（図示せず）が配置されている。
【００１７】
第２表示部ＤＹＰ２には、表示画素が配列する行に沿って延びる走査線２０２と、表示画素の配列する列に沿って延びる信号線３０４と、が配置されている。走査線２０２と信号線３０４とが交差する位置の近傍には画素スイッチ（図示せず）が配置されている。
【００１８】
本実施形態に係る液晶表示装置では、第２表示部ＤＹＰ２に配置された信号線３０４の一部が、第１表示部ＤＹＰ１に延びている。すなわち、信号線３０４の一部は、第１液晶表示パネルＰＮＬ１と第２液晶表示パネルＰＮＬ２とに共有されている。
【００１９】
本実施形態に係る液晶表示装置は、第１表示部ＤＹＰ１および第２表示部ＤＹＰ２を駆動する駆動部を有している。駆動部は、走査線駆動回路２１１と、信号線駆動回路３０３とを有している。
【００２０】
走査線駆動回路２１１は、走査線２０１、２０２に走査信号を供給する第１走査信号供給配線Ｗ１に接続されている。信号線駆動回路３０３は、信号線３０４に映像信号を供給する供給配線Ｗ２に接続されている。
【００２１】
図１に示すように、走査線２０１の一端には、第１スイッチ２０３が接続されている。第１スイッチ２０３は、走査線２０１と第１走査信号供給配線Ｗ１との接続を切り替える。すなわち、走査線２０１は、第１スイッチ２０３を介して第１走査信号供給配線Ｗ１に接続されている。
【００２２】
走査線２０２の一端には第２スイッチ２０４が接続されている。第２スイッチ２０４は、走査線２０２と第１走査信号供給配線Ｗ１との接続を切り替える。すなわち、走査線２０２は、第２スイッチ２０４を介して第１走査信号供給配線Ｗ１に接続されている。
【００２３】
第１スイッチ２０３、および第２スイッチ２０４は、そのオン／オフを走査線駆動回路２１１によって制御され、その結果、走査線駆動回路２１１と走査線２０１、２０２の一端との接続が切り替えられる。走査線駆動回路２１１は、第１走査信号供給配線Ｗ１に順次走査信号を供給し、走査線２０１もしくは走査線２０２を順次駆動する。
【００２４】
走査線駆動回路２１１は、走査線２０１および走査線２０２をインタレース駆動するインタレース駆動手段２１１Ａを有している。インタレース駆動手段２１１Ａは、１フレーム期間を複数のフィールド期間に分割し、各フィールド期間において、走査線２０１および走査線２０２を、一本以上間引きして走査する。
【００２５】
例えば、本実施形態にかかる液晶表示装置では、１フレーム期間が第１フィールド期間、第２フィールド期間、および第３フィールド期間に分割されている。各フィールド期間において、走査線の駆動が終了した後はブランク期間である。
【００２６】
すなわち、第１フィールド期間では、１ライン目、４ライン目、７ライン目…の走査線を駆動される。第１フィールド期間において、走査線が駆動された後はブランク期間である。
【００２７】
第２フィールド期間では、２ライン目、５ライン目、８ライン目…の走査線を駆動される。第２フィールド期間において、走査線が駆動された後はブランク期間である。
【００２８】
第３フィールド期間では、３ライン目、６ライン目、９ライン目…の走査線が駆動される。第３フィールド期間において、走査線が駆動された後はブランク期間である。
【００２９】
次に、本実施形態に係る液晶表示装置の動作について以下に説明する。以下では、第１液晶表示パネルが映像表示状態であって、第２液晶表示パネルが非映像表示状態の場合について説明する。図２に示すように、本実施形態にかかる液晶表示装置では、第１液晶表示パネルの表示部ＤＹＰ２は、その走査ライン数が９６ラインであって、１垂直期間は、２８８水平期間（フィールド期間）である。
【００３０】
すなわち、本実施形態では、１フレーム期間を、それぞれほぼ均等な時間となるように第１フィールド期間、第２フィールド期間、および第３フィールド期間に分割している。走査線駆動回路２１１は、第１フィールド期間において、走査線２０１の１ライン目、４ライン目、７ライン目…を駆動する。第１フィールド期間において、走査線２０１が駆動された後は、表示画素に信号の書き込みが行われないブランク期間である。
【００３１】
走査線駆動回路２１１は、第２フィールド期間において、走査線２０１の２ライン目、５ライン目、８ライン目…を駆動する。第２フィールド期間において、走査線２０１が駆動された後は、表示画素に信号の書き込みが行われないブランク期間である。
【００３２】
走査線駆動回路２１１は、第３フィールド期間において、走査線２０１の３ライン目、６ライン目、９ライン目…を駆動する。第３フィールド期間において、走査線２０１が駆動された後は、表示画素に信号の書き込みが行われないブランク期間である。
【００３３】
また、本実施形態にかかる液晶表示装置では、対向電圧はフィールド期間毎に反転する。
【００３４】
従来は、図３に示すように、第３フィールド期間が他のフィールド期間に比べて長くなる。
【００３５】
第３フィールド期間に印加された対向電位は、次のフレーム期間まで保持される。このため、走査ラインによっては、書き込みの時の対向電位と逆極性の対向電位の期間が大きく異なる場合が発生する。
【００３６】
すなわち、本実施形態の場合、第２フィールド期間において駆動される走査線（２ライン目、５ライン目、８ライン目…）では、書き込み時の対向電位と逆極性の対向電圧が保持される期間が長くなる。
【００３７】
このとき、液晶に印加される電圧は、対向電位の変化により、（１−（Ｃｓｔ＋Ｃｌｃ）／Ｃｔｏｔ）×ΔＶｃｏｍだけ変化する。ここで、Ｃｓｔは各表示画素の補助容量、Ｃｌｃは各表示画素の液晶容量、Ｃｔｏｔは各表示画素の全容量、であって、ΔＶｃｏｍは対向電圧の変化量である。
【００３８】
すなわち、第３フィールド期間が他のフィールド期間よりも長いと、第３フィールド期間と同極性の対向電位が書き込まれた１ライン目、４ライン目、７ライン目…よりも、逆極性の対向電位が書き込まれた２ライン目、５ライン目、８ライン目…のほうが液晶に印加される実行電圧が小さくなる。
【００３９】
したがって、２ライン目、５ライン目、８ライン目の走査線２０１に対応する液晶に印加される電圧は、本来保持される電位とは異なる値となることがある。この場合、液晶に印加される実行電圧の異なるライン間で輝度差が生じて、表示品位が低下する場合があった。
【００４０】
これに対し、本実施形態にかかる液晶表示装置では、各フィールド期間において、ブランク期間をそれぞれ設け、各フィールド期間が実質的に等しくなるように制御している。例えば、この実施形態では、第１フィールド期間は９６水平期間であって、第２フィールド期間は９６水平期間であって、更に第３フィールド期間も９６水平期間となり、各フィールド期間が略等しい長さになる。
【００４１】
このことから、本実施形態にかかる液晶表示装置では、各フィールド期間において走査される走査ラインに対応する液晶ごとに印加される実行電圧が略等しくなるため、表示品位を低下させることが無い。
【００４２】
すなわち、本実施形態にかかる液晶表示装置によれば、表示品位の劣化を抑制する液晶表示装置およびその駆動方法を提供することができる。
【００４３】
なお、この発明は、上記実施形態そのままに限定されるものではなく、実施段階ではその要旨を逸脱しない範囲で構成要素を変形して具体化できる。例えば、本発明は表示期間と非表示期間とを有する表示装置であれば、液晶表示装置以外でも適用することができる。
【００４４】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４５】
【図１】本発明の一実施形態にかかる液晶表示装置の一構成例を概略的に示す図。
【図２】図１に示す液晶表示装置の駆動方法の一例を説明するための図。
【図３】従来の液晶表示装置の駆動方法の一例を説明するための図。
【符号の説明】
【００４６】
ＤＹＰ１…第１表示部、ＤＹＰ２…第２表示部、２１１…駆動部
【図１】
2009139649.tif 000003
【図２】
2009139649.tif 000004
【図３】
2009139649.tif 000005